(57)【要約】      （修正有）【課題】靴のスタッドとレセプタクルの接続・ロック手段で、全ての用途において、十分な固定的接続、又は緩みに対する適切な抵抗を提供する。【解決手段】靴のスタッドは、地面係合部を含んでおり、回転によって、２つの構成要素の他方に設けられたスクリューねじ付きソケット７に挿入されるようになっているスクリューねじ付きスピゴットと、相互係合してアッセンブリの緩みに抵抗するように配置されている両構成要素のロック手段と、を備えている多条ねじ式接続によって、一体に固定されるようになっており、ロック手段は、一次ロック手段１４と、少なくとも１つの二次ロック部材３２と、を備えており、一次ロック手段は、両構成要素の一方から軸方向に伸張するポストの輪と、他方の構成要素上の歯１５の輪と、を備えており、ポストは歯の間に係合し、前記又は各二次ロック部材は、ポストと係合して、一次ロック手段の相互係合を維持するようになっている。【選択図】図１
2007160113.tif 000002
【特許請求の範囲】
【請求項１】
靴のスタッドとレセプタクルとの組合わせ構造において、前記靴のスタッドは、地面係合部を含んでおり、前記２つの構成要素は、前記２つの構成要素の一方に設けられたスクリューねじ付きスピゴットであって、回転によって、前記構成要素の他方に設けられたスクリューねじ付きソケットに挿入されるようになっているスクリューねじ付きスピゴットと、相互係合してアッセンブリの緩みに抵抗するように配置されている前記構成要素のロック手段と、を備えている多条ねじ式接続によって、一体に固定されるようになっており、前記ロック手段は、一次ロック手段と、少なくとも１つの二次ロック部材と、を備えており、前記一次ロック手段は、前記構成要素の一方から軸方向に伸張するポストの輪と、他方の前記構成要素上の歯の輪と、を備えており、前記ポストは前記歯の間に係合し、前記又は各二次ロック部材は、ポストと係合して、前記一次ロック手段の相互係合を維持するようになっている、組合わせ構造。
【請求項２】
前記１つの二次ロック部材又は各二次ロック部材は、少なくとも１つの前記ポストの半径方向外側の表面と係合するようになっている、請求項１に記載の組合わせ構造。
【請求項３】
前記少なくとも１つの二次ロック部材は前記レセプタクル上に設けられており、前記ポストは前記スタッド上に設けられている、請求項１又は２に記載の組合わせ構造。
【請求項４】
前記二次ロック部材は、１つのポスト、又は、複数の円周方向に間隔を空けて輪状に配置されているポストを備えている、請求項１乃至３の何れか１項に記載の組合わせ構造。
【請求項５】
前記二次ロック部材は、少なくとも１つの鉤形の部材を備えており、その配置は、前記スピゴットが前記ソケットに所定の軸方向位置までねじ込まれると、前記少なくとも１つの鉤形の部材が、前記ポストの少なくとも１つと係合してこれを部分的に取り囲むようになっている、請求項１乃至４の何れか１項に記載の組合わせ構造。
【請求項６】
前記鉤形の部材は、半径方向に伸張する部分と、円周方向に伸張する部分と、を備えている、請求項５に記載の組合わせ構造。
【請求項７】
前記スタッドが前記レセプタクルと完全に係合しているときには、前記円周方向に伸張する部分だけが、対応するポストと接触するようになっている、請求項６に記載の組合わせ構造。
【請求項８】
前記半径方向に伸張する部分は、所定の回転量の後でポストと係合するストッパを提供している、請求項６に記載の組合わせ構造。
【請求項９】
前記螺合接続は、前記二次ロック部材を確実に同じポストと係合させるようになっている、請求項１乃至８の何れか１項に記載の組合わせ構造。
【発明の詳細な説明】
【技術分野】
【０００１】
本発明は、フットボールブーツやゴルフシューズ等のスポーツシューズや、芝生の上で競技又は実施する他のスポーツ又は活動用のシューズの様な、スタッド付きの履き物に関している。「フットボール」という用語は、サッカー、ラグビー、アメリカンフットボール及びオーストラリアンフットボールの様な、フットボールとして知られている全てのスポーツを包含するものである。
【背景技術】
【０００２】
スタッドは、牽引力を提供するものであって、対象のスポーツに適した型式の地面係合部を有している。スタッドは、スタッドのスクリューねじが切られたスピゴットを、靴底に成形又は固定されているレセプタクルの対応するねじが切られているソケットに係合させることによって、履き物の靴底に取り外し可能に締結される。
【０００３】
スクリューねじ式の接続は、スタッドが、強い力が掛かっても所定の位置に留まり、特に偶然に緩まないことを保証できるように設計しなければならない。既知のスタッドは、一条ねじ又は多条ねじの何れかを有している。一条ねじは、最も簡単なねじの形態で、緩める際の抵抗が多条ねじよりも大きい。また、一条ねじは、スピゴットとソケットのねじを何回か回すことで、強い接続を提供する。しかしながら、スタッドの取り付け及び取り外しに必要な回転数のために、取り外して取替えるのは、時間の掛かる作業になる。多条ねじは螺旋角度が急なので、どの様な所与の長さのスピゴットでも、少ない回転数でソケットに挿入することができる。更に、多条ねじは、一条ねじよりも深くカットされているため、ねじ山のせん断強度が大きくなるので、短いスピゴットを使用することができる。
【０００４】
一条ねじ又は多条ねじの何れが用いられているかに関わらず、スタッドとソケットには、スタッドの偶然の緩みを防ぐためにロックラチェットが組み込まれている。通常、スタッドとソケットは、それぞれ一組の歯を有しており、スタッドがソケットに挿入されると相互係合する。歯の配列によって、スタッドは、完全に挿入されたときには、ソケットに対する数多くの位置の内の何れか１つの位置に納まることになる。ここに述べるスクリューねじとロックラチェットは、靴底に対するスタッドの回転の向きが重要でない場合には極めて妥当なものである。
【０００５】
しかしながら、スタッドに掛かる力が、比較的高く、横方向の力又は靴の装着者の急激な前方加速による力の様な特定の型式の力であるようなスポーツでは、特定の方向に向いたスタッドが、より効果的である。（「特定の方向に向いたスタッド」という用語は、非回転対称のスタッド、又は回転対称であるが、靴底に対する向きがかなり大きいスタッドを含めて用いる。）特定の方向に向いたスタッドは、所望の様式で確実に作動するようにするため、靴底に対して極めて正確に（即ち、１つの固有の方向に）向けなければならない。
【０００６】
スクリューねじとロックラチェットは、この正確な向きを提供するために開発された。ＷＯ０２／３９８４０号では、レセプタクル上の導入傾斜路、凹部、及び停止手段と係合するスタッド上の半径方向の突起を備えたロック手段が開示されている。このロック手段は、スタッドをレセプタクルに締め付けたときに、スタッドがレセプタクルに対し確実に特定の向きとなるようになっている。
【特許文献１】国際公開第０２／３９８４０号パンフレット
【発明の開示】
【発明が解決しようとする課題】
【０００７】
しかしながら、このロック手段は、全ての用途において、十分な固定的接続、又は緩みに対する適切な抵抗を提供できていない。
【課題を解決するための手段】
【０００８】
本発明の第１の態様によれば、靴のスタッドとレセプタクルの組み合わせにおいて、靴のスタッドは、地面係合部を含んでおり、これら２つの構成要素は、２つの構成要素の一方に設けられたスクリューねじ付きスピゴットであって、回転によって、２つの構成要素の他方に設けられたスクリューねじ付きソケットに挿入されるようになっているスクリューねじ付きスピゴットと、相互係合してアッセンブリの緩みに抵抗するように配置されている両構成要素のロック手段と、を備えている多条ねじ式接続によって、一体に固定されるようになっており、ロック手段は、一次ロック手段と、少なくとも１つの二次ロック部材と、を備えており、一次ロック手段は、両構成要素の一方から軸方向に伸張するポストの輪と、他方の構成要素上の歯の輪と、を備えており、ポストは歯の間に係合し、前記又は各二次ロック部材は、ポストと係合して、一次ロック手段の相互係合を維持するようになっている。
【０００９】
二次ロック部材の、一次ロック手段のポストとの係合は、確実に一次ロック手段が固定されるようにする。従って、ロック手段は、両構成要素の緩みに抵抗し、スタッドの、レセプタクルに対する最終的な向きが確実に決定されるようにする。従って、スタッドは、レセプタクルに対して、ひいては靴底に対して、特定の向きに向けられる。
【００１０】
ポストの半径方向内側の表面は、通常、ポストの間と係合するようになっている。前記又は各二次ロック部材は、少なくとも１つのポストの半径方向外側の表面と係合するようになっているのが望ましい。これは、ポストと歯の間の相互係合を促進する。
【００１１】
少なくとも１つの二次ロック部材は、レセプタクルに設けられており、ポストは、スタッドに設けられているのが望ましい。
二次ロック部材は、１つのポスト、又は輪状に配置された複数の円周方向に間隔を空けて配置されているポストを備えている。前記又は各二次ロック部材は、対応するポストの半径方向外側の表面と係合するのが望ましい。
【００１２】
二次ロック部材は、少なくとも１つの鉤形の部材を備え、配置は、スピゴットが所定の軸方向位置までソケットにねじ込まれると、少なくとも１つの鉤形の部材が、ポストの少なくとも１つと係合し、それを部分的に取り囲むようになっているのが望ましい。鉤形の部材は、従って、半径方向に伸張する部分と、円周方向に伸張する部分とを備えている。鉤形の部材は、更に、一旦単数又は複数のポストが鉤形の部材と係合すると、両構成要素は、それ以上互いにねじ込むことはできないので、ロックしていることを表示するという利点を有している。
【００１３】
鉤形の部材の半径方向及び円周方向に伸張する部分は、両方共、対応するポストと係合するようになっている。代わりに、スタッドがレセプタクルと完全に係合しているときは、円周方向に伸張する部分だけが、対応するポストに接触するようになっていてもよい。半径方向に伸張する部分は、例えば、螺合接続の過剰な締付を防ぐために、所定の回転量の後にのみポストと係合するストッパとなっていてもよい。従って、スタッドがレセプタクルと完全に係合しているときは、鉤形の部材の円周方向に伸張する部分だけが、一次ロック手段の相互係合を維持する。
【００１４】
ポストは、鉤形の部材の半径方向内側の表面の切り込みに係合するようになっている突起を含んでいるのが望ましい。突起は、ポストが二次ロック部材と相互係合するのを支援し、固定接続を確かなものにする。
【００１５】
３つの二次ロック部材が設けられているのが望ましい。二次ロック部材は、円周方向に等間隔に配置されているのが望ましい。
６つのポストが輪状に配置されて備えられているのが望ましい。従って、３つの二次ロック部材が設けられている場合は、１つ置きのポストと係合するようになっている。
【００１６】
螺合接続は、二次ロック部材が同じポストと確実に係合するようになっているのが望ましい。従って、二次ロック部材が係合するようになっているポストだけが、突起を有している。
【００１７】
多条ねじは、スタッドの取り付け取り外しに必要な回転数を少なくするため、二条、三条、又はそれ以上の多条でもよい。或る好適な実施形態では、ねじは三条ねじで、スタッドを半分の回転で取り付けることができ、取り外しと取り付けが容易になっている。
【００１８】
螺合接続は、ねじ山と溝の１つを他と異なるものにして、鍵と、相補形の鍵穴となるようにすることによって、スタッドのレセプタクルに対する最初の位置を決める手段を提供するのが望ましい。。
【００１９】
鍵は、一方の構成要素上の拡大ねじ山と、他方の構成要素上の対応する拡大溝と、を備えている。拡大ねじ山は、拡大溝にしか嵌合せず、従って最初の位置が決まる。或いは、鍵は、一方の構成要素上の架橋ねじ山と、他方の構成要素上の取り除かれたねじ山と、を備えている。この場合、一方の構成要素では、２つの隣接するねじ山の頂の間の間隔は充填されており、他方の構成要素では、２つの隣接する根元の間のねじ山が取り除かれている。これは、スタッドのソケットに対する必然的な最初の向きを作り出す。
【００２０】
従来は、鍵はレセプタクルに、鍵穴はスタッドに設けられている。代わりに、鍵をスタッドに設け、鍵穴をレセプタクルに設けてもよい。
本発明の第２の態様は、特に靴のスタッドに関する。
【００２１】
本発明の第２の態様によれば、多条スクリューねじ付きソケットを備えたレセプタクルを有するスタッド付きの履き物と共に使用するスタッドは、ソケットのスクリューねじと相補形の多条スクリューねじを備えたスピゴットを有しているので、スピゴットをソケットに回転挿入すると、スタッドがソケットに固定され、スピゴットは、螺旋形の鍵と相補形の鍵穴の内の一方の構成要素を有しており、他方の構成要素はレセプタクルに設けられ、スタッドは、ロック手段の一部を有し、ロック手段は、構成要素の一方から軸方向に伸張するポストの輪及び歯の輪と、他方の構成要素上の少なくとも１つの二次ロック部材を備えており、配置は、ポストが歯の間に係合するようになっており、前記又は各二次ロック部材は、一次ロック手段の相互係合を維持するため、ポストと係合するようになっている。
【００２２】
二次ロック部材は、スピゴットが所定の軸方向位置までソケットにねじ込まれると、ポストの少なくとも１つと係合してこれを部分的に取り囲む鉤形の部材を備えているのが望ましい。鉤形の部材は、半径方向に伸張する部分と円周方向に伸張する部分を備えているのが望ましい。
【００２３】
本発明の第３の態様は、スタッド付きの履き物に組み込むためのレセプタクルに関しており、レセプタクルは、スタッドを受け入れるようになっている。
本発明の第３の態様によれば、スタッド付きの履き物に組み込むためのレセプタクルは、靴のスタッドのスピゴットを受け入れるようになっている多条スクリューねじ付きソケットを有しており、スピゴットは、ソケットのスクリューねじと相補形の多条スクリューねじを有しているので、スピゴットをソケットに回転挿入すると、スタッドがソケットに固定され、レセプタクルは、螺旋形の鍵と、相補形の鍵穴の内の一方の構成要素を有しており、他方の構成要素はスピゴットに設けられ、レセプタクルは、ロック手段の一部を有し、ロック手段は、構成要素の一方から軸方向に伸張するポストの輪及び歯の輪と、他方の構成要素上の少なくとも１つの二次ロック部材を備えており、配置は、ポストが歯の間に係合するようになっており、前記又は各二次ロック部材は、一次ロック手段の相互係合を維持するため、ポストと係合するようになっている。
【００２４】
本発明の第４の態様によれば、靴のスタッドとレセプタクルの組み合わせにおいて、靴のスタッドは、地面係合部を含んでおり、２つの構成要素は、２つの構成要素の一方に設けられたスクリューねじ付のスピゴットであって、回転によって、他方の構成要素に設けられたスクリューねじ付ソケットに挿入されるようになっているスクリューねじ付のスピゴットと、相互係合してアッセンブリの緩みに抵抗するように配置されている両構成要素のロック手段と、を備えている多条ねじ付の接続によって一体に固定されるようになっており、ロック手段は、構成要素の一方から軸方向に伸張するポストの輪と、他方の構成要素上の歯の輪と、を備えており、ポストの輪は歯の間に係合し、少なくとも１つの半径方向に伸張する停止部材は、アッセンブリが完全に相互係合しているときには、対応するポストのストッパを形成するようになっている。
【００２５】
半径方向に伸張する停止部材は、スタッドとレセプタクルが確実に十分に係合しているようにする明確なストッパを提供するので、アッセンブリが頑丈であることを保証する。停止部材は、例えば、ねじに過剰な応力を掛けることになりかねない過剰な締め付けに対して追加的な弾性を提供する。
【００２６】
ポストの輪は、そこに、少なくとも１つの半径方向に伸張する停止部材を受け入れるための少なくとも１つの間隙を有しており、停止部材は、少なくともアッセンブリが完全に相互係合しているときは、少なくとも部分的には間隙を通って伸張するようになっているのが望ましい。
【００２７】
停止部材は、歯の輪から半径方向に外向きに伸張しているのが望ましい。停止部材は、歯と歯の間に形成されている凹部に隣接して伸張しているのが望ましい。
停止部材は、スタッドとレセプタクルが完全に相互係合しているときには、対応するポストに当接しているのが望ましい。
【００２８】
３つの停止部材を設けてもよい。停止部材は、円周上に等間隔で配置されるのが望ましい。ポストの輪は、停止部材を受け入れるため適切な位置に間隙を有しているのが望ましい。
【００２９】
６つのポストは、輪状に配置されているのが望ましい。従って、３つの停止部材が設けられている場合は、１つ置きのポストと係合するようになる。
螺合接続は、停止部材が確実に同じポストと係合するようになっているのが望ましい。
【００３０】
スタッドの取り付け取り外しに必要な回転数を少なくするため、多条ねじは、二条、三条、又はそれ以上の多条でもよい。或る好適な実施形態では、ねじは三条ねじで、スタッドを半分の回転で取り付けることができ、取り外しと取り付けが容易になっている。
【００３１】
螺合接続は、ねじ山と溝の１つを他と異なるものにして、鍵と、相補形の鍵穴となるようにすることによって、スタッドのレセプタクルに対する最初の位置を決める手段を提供する。
【００３２】
鍵は、一方の構成要素上の拡大ねじ山と、他方の構成要素上の対応する拡大溝と、を備えている。拡大ねじ山は、拡大溝にしか嵌合せず、従って最初の位置が決まる。或いは、鍵は、一方の構成要素上の架橋ねじ山と、他方の構成要素上の取り除かれたねじ山と、を備えている。この場合、一方の構成要素では、２つの隣接するねじ山の頂の間の間隔は充填されており、他方の構成要素では、２つの隣接する根元の間のねじ山が取り除かれている。これは、スタッドのソケットに対する必然的な最初の向きを作り出す
従来は、鍵はレセプタクルに、鍵穴はスタッドに設けられている。代わりに、鍵をスタッドに設け、鍵穴をレセプタクルに設けてもよい。
【００３３】
半径方向に伸張する停止部材は、ロック手段の相互係合を維持するために対応するポストと係合する円周方向に伸張する部分を含んでいる。停止部材と円周部分は、鉤形の部材の形態をしている。鉤形の部材は、対応するポスト上の突起と係合するようになっている切り込みを含んでいる。切り込みと突起の係合は、スタッドとレセプタクルの緩みに対する抵抗を増大させる。
【００３４】
本発明の第５の態様は、特に靴のスタッドに関する。
本発明の第５の態様によれば、多条スクリューねじ付きソケットを備えたレセプタクルを有するスタッド付きの履き物と共に使用するスタッドは、ソケットのスクリューねじと相補形の多条スクリューねじを備えたスピゴットを有しているので、スピゴットをソケットに回転挿入すると、スタッドがソケットに固定され、スピゴットは、螺旋形の鍵と相補形の鍵穴の内の一方の構成要素を有しており、他方の構成要素はレセプタクルに設けられ、スタッドは、スタッドがレセプタクルから緩むのに抵抗するため相互係合するよう配置されているロック手段の一部を有しており、ロック手段は、構成要素の一方から軸方向に伸張するポストの輪と、他方の構成要素上の歯の輪と、を備えており、ポストの輪は、歯の間に係合し、少なくとも１つの半径方向に伸張する停止部材は、アッセンブリが完全に相互係合しているときには、対応するポストのストッパを形成するようになっている。
【００３５】
二次ロック部材は、スピゴットが所定の軸方向位置までソケットにねじ込まれると、ポストの少なくとも１つと係合してこれを部分的に取り囲む鉤形の部材を備えているのが望ましい。
【００３６】
本発明の第６の態様は、スタッド付きの履き物に組み込むための、スタッドを受け入れるようになっているレセプタクルに関している。
本発明の第６の態様によれば、スタッド付きの履き物に組み込むためのレセプタクルは、靴のスタッドのスピゴットを受け入れるようになっている多条スクリューねじ付きソケットを有し、スピゴットは、ソケットのスクリューねじと相補形の多条スクリューねじを有しているので、スピゴットをソケットに回転挿入すると、スタッドがレセプタクルに固定され、レセプタクルは、螺旋形の鍵と相補形の鍵穴の内の一方の構成要素を有しており、他方の構成要素はスピゴットに設けられ、レセプタクルは、スタッドがレセプタクルから緩むのに抵抗するため相互係合するように配置されているロック手段の一部を有しており、ロック手段は、構成要素の一方から軸方向に伸張するポストの輪と、他方の構成要素上の歯の輪と、を備えており、ポストの輪は、歯の間に係合し、少なくとも１つの半径方向に伸張する停止部材は、アッセンブリが完全に相互係合しているときには、対応するポストのストッパを形成するようになっている。
【００３７】
本発明の第７の態様によれば、多条スクリューねじ付きソケットを備えたレセプタクルを有しているスタッド付きの履き物と共に使用するスタッドは、ソケットのスクリューねじと相補形の多条スクリューねじを備えたスピゴットを有しているので、スピゴットをソケットに回転挿入すると、スタッドがソケットに固定され、スピゴットは、螺旋形の鍵と相補形の鍵穴の内の一方の構成要素を有しており、他方の構成要素はレセプタクル上に設けられ、スタッドは、ロック手段の一部を有しており、ロック手段は、構成要素の一方から軸方向に伸張するポストの輪と、他方の構成要素上の歯の輪と、を備えており、ポストは、歯の間に係合するようになっており、ポストの輪は、スタッドに固定されるようになっている別体の部材に取り付けられている。
【００３８】
本発明の第８の態様によれば、我々は、多条スクリューねじを有するスピゴットを含んでいるスタッドを提供しており、スピゴットは、螺旋形の鍵又は相補形の鍵穴の何れか１つを有しており、スタッドは、そこから軸方向に伸張するポストの輪を有しており、ポストの輪は、スピゴットから半径方向に間隔を空けて配置されており、ポストは、半径方向外側の面を有しており、ポストの少なくとも１つは、その半径方向外側の面上に突起を有している。
【００３９】
本発明の第９の態様によれば、我々は、多条スクリューねじを有するスピゴットを含んでいるスタッドを提供しており、スピゴットは、螺旋形の鍵又は相補形の鍵穴の何れか１つの構成要素を有しており、スタッドは、そこから軸方向に伸張するポストの輪を有しており、ポストの輪は、第１ポストと第２ポストを備えており、第１ポストは、第２ポストより実質的に小さい軸方向の高さを有している。
【００４０】
これは、スタッドの製造を容易にし、頑丈なロック手段を提供する。
ポストの少なくとも１つは、軸方向高さが傾斜しているのが望ましい。これは、以下に述べるように、スタッドとレセプタクルを連結し易くする。
【実施例】
【００４１】
図１と図２は、ゴルフシューズ（図示せず）の様なスポーツ靴の靴底又はかかとに成形されているか又は取り付けられているレセプタクル１を示している。スタッド２は、図３に示されており、図４に示しているように、回転させてレセプタクル１に挿入するようになっている。レセプタクル１とスタッド２は、それらを一体に固定する一次ロック手段１４と二次ロック部材３２の対応する部品を有している。
【００４２】
図１と図２のレセプタクルは、プラスチック材料を一体成形したものである。レセプタクルは、円形の上部プレート３を有しており、そこから中央のボス４が垂下している。レセプタクル１は、通常はモールド成形によって、ゴルフ又は他のスポーツシューズの靴底又はかかとに組み込まれるようになっている。レセプタクル１は、上部プレート３によって靴底又はかかとに錨着され、上部プレート３は、これを支援する孔５を含んでいる。
【００４３】
ボス４は、頑丈な円筒形の壁６を有しており、その内側は、スタッド２のスピゴット８を受け入れるようになっている雌ねじのスクリューねじ付ソケット７を形成している。ソケット７は、三条ねじを有しており、ねじ山の１つ９は、他の２つ１０に比べて半径方向に大きくなっている。壁６の半径方向外側の表面１３は、一次ロック手段１４の一部で、軸方向に伸張し、表面１３から半径方向外向きに突き出ている歯１５の輪として形成されている。歯１５は、ソケット７の軸に平行な方向に伸張するリブの形をしている。歯１５は、丸みを帯びた縁部１６、１６’を有しており、ソケット軸の回りに一様に配置されており、図示の実施形態では６つの歯がある。従って、凹部３３は歯１５の間に画定され、壁６が凹部３３の基底を形成している。
【００４４】
レセプタクル１は、更に、鉤形の部材３２の形をした二次ロック部材を含んでいる。３つの鉤形の部材３２は、図では、一つ置きに歯１５からボス４の回りに突き出ている。鉤形の部材３２は、先ず歯１５の縁部１６から半径方向に伸張し、その後、円周方向に、反対側の縁部１６’によって画定される凹部３３の端部と実質的に円周方向に整列するように伸張している実質的にＬ字型の突起で構成されている。従って、鉤形の部材３２は、半径方向部３９と円周方向部４０とを含んでおり、それらは、凹部３３でロック凹部３４を画定している。鉤形の部材３２は、更に、凹部３３に面する切り込み３５を有している。切り込み３５は、円周方向部４０の内側に向いた表面に、軸方向の溝を形成している。円周方向部４０の自由端は、ロック凹部３４に向けて傾斜している湾曲した導入面３６を有している。鉤形の部材３２は、更に、半径方向部３９と円周方向部４０との間の接合部から円周方向に、円周方向部４０が伸張している方向とは反対に伸張している伸張部３８を含んでいる。伸張部３８は、鉤形の部材３２に弾性を加え、半径方向と円周方向の両方に更なる安定性を提供する。
【００４５】
図３に示しているスタッド２は、回転させて、図１と図２に示しているレセプタクル１内に装着するようになっている。スタッド２は、円形のフランジ１７を備えたプラスチック材料の一体成形品である。フランジ１７の下側には、地面係合形成物（見えない）が設けられている。
【００４６】
スピゴット８は、フランジ１７の上側から突き出ており、雄ねじのスクリューねじを有している。スピゴット８の雄ねじのスクリューねじは、比較的急ならせん角度を有する三条ねじなので、スタッド２は、半回転でレセプタクル１に挿入することができる。スタッド２の雄ねじは、拡大溝１２を含んでいる。溝１２は、他の２つの溝１８よりも半径方向に深くなっており、レセプタクル１のスクリューねじの拡大ねじ山９と相補形となっている。ねじ山９と溝１２は、鍵と鍵穴を形成して、スタッド２とレセプタクル１が特定の向きでしかねじ込めないようにして、スタッド２のレセプタクル１に対する最初の位置を確実に画定できるようにしている。
【００４７】
スタッド２は、スタッド２をレセプタクル１内に固定し、且つレセプタクルに対するその最終的な位置を画定する、ロック手段１４の他方の部分を有している。スタッド２上のロック手段１４は、レセプタクル１の歯１５の輪の間に嵌るようになっている、弾性ポスト１９の輪を備えている。
【００４８】
弾性ポスト１９は、フランジ１７の上側から軸方向に伸張している。ポスト１９は、スピゴット８を取り囲んでおり、スピゴット８と同心の輪を形成している。ポスト１９は、２つの種類、即ち３つの第１ポスト２０と３つの第２ポスト２１を備えている。第１と第２ポスト２０、２１は、スピゴット８の回りに交互に配置されており、全て半径方向に弾性をがある。
【００４９】
各ポスト１９の軸方向の長さは、スピゴット８の軸方向高さの約半分であるが、第１ポスト２０は、軸方向高さに傾斜が付いている。従って、第１ポスト２０は、スタッドをレセプタクルに挿入する方向に関して前縁部２２と後縁部２３を有しており、後縁部２３は、前縁部２２より軸方向高さが低い。第１ポスト２０の半径方向外側の表面２４は弓形であり、第２ポスト２１の外側表面２５は、これも弓形であるが、半径方向に伸張する丸みを帯びた突起２６を有している。突起２６は、第２ポスト２１の全高に亘って軸方向に伸張している。全ポスト１９の上面２７は、スピゴット８に向かって上向きに角度が付いているので、各ポスト１９の半径方向内側の表面２８は、外側表面２４より軸方向高さが高い。各ポスト１９の半径方向内側の表面２８は、全体としてはスピゴット８に向かって凸であり、中央の凸状領域２９と、スピゴット８に向かって実質的に真っ直ぐな輪郭を有する第１円周方向端部３０と、スピゴット８に向かって急な凹状の輪郭を有する第２円周方向端部３１と、を備えている。端部３０は、図では真っ直ぐな輪郭を有しているが、凹状でもよいものと理解されたい。スタッド２の挿入時には、第１端部３０は前端で、第２端部３１は後端であり、取り外すときには逆になる。第１端部３０の凹状の輪郭は、スタッド２を挿入する際の抵抗が小さく、第２端部３１の輪郭は、取り外す際の抵抗が大きい。
【００５０】
歯１５の半径方向突起の、ソケット軸からの距離は、ポスト１９の半径方向内側表面の、第１円周方向端部３０での対応する距離と実質的に等しい。従って、歯１５とポスト１９の間には半径方向の干渉があり、スタッド２とレセプタクル１の相対回転に摩擦抵抗を引き起こす。
【００５１】
スタッド２は、スピゴット８をソケット４へ挿入することによって装着される。拡大ねじ山９と拡大溝１２があるため、スピゴット８とソケット４のねじが係合を開始できる位置は１つしか無い。スタッド２を回転させると、スピゴット８がソケット４内に引き込まれ、スピゴット８をねじ込むにつれて、歯１５はポスト１９と係合し始める。回転は、歯１５の一連のポスト１９との係合によって抵抗を受ける。歯１５は実質的に圧縮できないので、ポスト１９が弾性的に半径方向に撓んで、歯１５がポスト１９を通過して動けるようにする。ポスト１９の半径方向内側の表面は、歯１５が、比較的容易にポスト１９を通過できるような輪郭になっているが、スピゴット８が更にソケット４の中に進むにつれ、ポスト１９は撓みにくくなる。
【００５２】
ポスト１９と鉤形の部材３２の軸方向の高さは、スピゴット８をソケット４へ挿入開始する時には、第１ポスト２０が鉤形の部材３２の上を通過する関係にある。しかしながら、スピゴット８とソケット４が完全な係合に向けて互いに引き付けられるにつれて、ポスト１９と鉤形の部材３２の間の軸方向の離間距離は小さくなる。第１ポスト２０は、上面２７が傾斜しているため、この相互係合の最終段階では、鉤形の部材３２と接触せずに通過することができる。この様に、前縁部２２と後縁部２３の間の軸方向高さの差は、スピゴット８がソケット４と係合してその中にねじ込まれることにより発生する、ポスト２０と鉤形の部材３２の間の軸方向の離間距離の変化に相当する。
【００５３】
スピゴット８をソケット４に対して更に回転させると、軸方向に離間状態にあった第２ポスト２１と鉤形の部材３２は、係合を開始する。第２ポスト２１の前縁部２０が、先ず鉤形の部材３２の端部３６に当接する。鉤形の部材３２は、半径方向外向きに弾性的に撓んで、第２ポスト２１をロック凹部３４に入れることができるようになっている。ポスト２１は、ロック凹部３４に入ると、鉤形の部材３２の半径方向部３９のストッパ３７に当接する（図４に最も明白に示している）。従って、鉤形の部材３２が、第２ポスト２１を部分的に取り囲むことになる。更に、係合位置では、突起２６が相補形の切り込み３５内に入り込み、第２ポスト２１と鉤形の部材３２の間の係合を更に強化する。第２ポスト２１が鉤形の部材３２と係合しているときは、第１ポスト２０の中央の凸領域２９は、歯１５の間の凹部３３と係合している。従って、スタッド２は、レセプタクル１に完全に挿入され、歯１５の第１と第２ポスト２０、２１の間の相互係合と、鉤形の部材３２の第２ポスト２１との相互係合とによって、固定されている。従って、鉤形の部材３２は、ポスト２１の動きに半径方向及び円周方向の抵抗を付与して、スタッド２とレセプタクル１が確実にしっかりと係合されるようにする。
【００５４】
この様に、スタッド２のレセプタクル１に対する初期位置は、ねじ山９と溝１２によって決まる。この実施形態では、最終的な位置は、ねじ山とロック手段１４の長さによって決まり、この位置では、第２ポスト２１が鉤形の部材３２のストッパ３７に当接して、最終な位置では、スタッド２がレセプタクル１に対して確実に正確に向くようにしている。
【００５５】
図５と図６は、レセプタクル１の二次ロック部材３２とスタッド２のポスト１９の第１の修正例を示している。レセプタクル１とスタッド２の残りの機構は、先の実施形態と同じなので、同じ参照番号を用いている。図５では、半径方向部３９と円周方向部４０を備えているＬ字型の鉤形の部材３２の形をした、第１の実施形態と実質的に同じ、３つの二次ロック部材がある。半径方向部３９は、歯１５の１つから縁部１６に隣接して半径方向外向きに伸張している。円周方向部４０は、半径方向部３９から円周方向に伸張して、自身と凹部３３の間に、半径方向部３９とも協同で、ロック凹部３４を形成している。円周方向部４０の自由端は、ロック凹部３４に向いて傾斜している湾曲した導入面３６を有している。しかしながら、第１の修正例には、切り込み３５が無く、従って、円周方向部４０の内向きの表面４１は中断されていない。図１と図２に示している伸張部３８も、この実施形態には無い。伸張部３８は、在るのが望ましいが、鉤形の部材３２の弾性に不利益な影響が無しに省けることが分かっている。
【００５６】
図６は、図４と同様に、レセプタクル１がスタッド２と相互係合しているときの断面を示している。この図は、ポスト１９が、修正された二次ロック部材３２と係合させるために修正された、その形態を示している。ポスト１９は、第１ポスト２０と第２ポスト２１を備えており、両者は、断面では形状が同じである。従って、図３に示している実施形態と比べると、第２ポスト２１は、半径方向に伸張する丸みを帯びた突起２６を有しておらず、その様な突起が係合するための切り込みも無い。代わりに、第２ポスト２１の弓形の外側表面２５は、各部が相互係合しているときは、鉤形の部材３２の内向きの表面４１に当接しているだけである。しかしながら、第１及び第２ポスト２０、２１の上面２７の高さと傾斜については、第１実施形態に関連して説明した通りである。
【００５７】
スタッドとレセプタクルが係合しているとき、鉤形の部材の表面４１は第２ポスト２１の表面２５と接触しているように示されているが、二次ロック手段の円周方向部４０は、そこから間隔を空けて配置されていてもよいものと理解されたい。アッセンブリが係合解除されるとき、スタッド２はレセプタクル１に対して回され、その際、ポスト１９は、歯１５に乗り上げるにつれ半径方向外向きに撓む。この様に、円周方向部４０の間隔は、係合解除の際に、ポストが半径方向外向きに撓むと、ポスト２１に接触するようになっている。鉤形の部材３２は、従って、ポスト２１を歯１５の間に保持する支援をするので、アッセンブリが緩むのに抵抗する手段となる。鉤形の部材３２は、切り込み３５が無いために、半径方向の抵抗は図４の実施形態より小さいが、一次ロック手段の分離に対する円周及び半径方向の抵抗を提供する。
【００５８】
図７と図８は、二次ロック部材３２の第２の修正例を示している。先の２つの実施形態と同様に、レセプタクル１は実質的に同一で、対応する部分には対応する参照番号を用いている。しかしながら、この実施形態では、二次ロック部材は、円周方向のロック部材４２を備えている。円周方向のロック部材４２は、図１に示している鉤形のロック部材の円周方向部４０の形をしている。この様に、第１の実施形態と比べると、鉤形の部材３２の半径方向部３９は省略されている。
【００５９】
３つの円周方向のロック部材４２は、図示の様に、円周方向に互いに等間隔に配置され、それぞれ凹部３３から半径方向に間隔を空けて配置されている。各円周方向のロック部材４２の自由端３６、４３は、凹部３３のそれぞれの縁部１６、１６’と実質的に円周方向に整列している。この様に、円周方向のロック部材４２と凹部３３は、ロックチャネル４４を画定している。円周方向のロック部材４２も、凹部３３の反対側に切り込み３５を有している。切り込み３５は、円周方向のロック部材４２の内向きの表面に軸方向の溝を構成している。円周方向のロック部材４２の端部３６は、ロックチャネル４４に向かって傾斜している湾曲した導入面を有している。なお、図７に示している実施形態は、伸張部３８を有していない。しかしながら、円周方向ロック部材４２の端部４３から円周方向に伸張する伸張部３８を、含んでいてもよい。
【００６０】
図８は、図７の実施形態がスタッド２と係合している状態を示している。図８に示しているポスト１９は、第１の実施形態に関連して述べたものと同じである。レセプタクル１とスタッド２が一体にねじ込まれるとき、第２ポスト２１の先端３０が、先ず円周方向のロック部材４２の端部３６に当接する。円周方向のロック部材４２は、弾性的に半径方向外向きに撓んで、第２ポスト２１をロックチャネル４４に入れることができるようになっている。スタッド２とレセプタクル１とが完全に係合したことを、ねじ９、１２が保証するタイミングは、ポスト２１がロックチャネル４４内にあるときである。係合解除の際にポストが半径方向外向きに撓むときには、円周方向のロック部材４２は、ポスト２１の動きに抵抗するようになっている。円周方向のロック部材４２は、従って、ポスト２１を歯１５の間に保持する支援をするので、アッセンブリが緩むのに抵抗する手段となる。ロック部材４２は、ポスト２１の動きに対する半径方向の抵抗と、突起２６と切り込み３５の間の係合による幾らかの円周方向の抵抗とを提供する。
【００６１】
図９と図１０は、図７と図８に示している円周方向のロック部材４２の修正例を示している。この実施形態では、円周方向のロック部材４２は、切り込み３５を有していない。従って、スタッド２の第２ポスト２１は、対応する突起２６を有していない。レセプタクル１とスタッド２の残りの部分は、先の実施形態と同じである。
【００６２】
円周方向部４０に関連して先に述べたように、スタッド２とレセプタクル１が一体に組み合わされたとき、円周方向のロック部材４２がポスト２１に接触している必要はない。ロック部材４２は、ポスト２１の動きに対する半径方向の抵抗を作り出し、ロック部材４２とポスト２１の間の摩擦は、円周方向の抵抗を作り出す。
【００６３】
図１１と図１２は、二次ロック部材が停止部材５０に取り替えられた第４の修正例を示している。３つの停止部材５０が、図示の様に互いに等角度に間隔を置いて配置されている。各停止部材５０は、歯１５の１つから縁部１６に隣接して半径方向に伸張している。従って、第１の実施形態と比べて、鉤形の部材３２の円周方向部４０が省略されている。
【００６４】
スタッド２がレセプタクル１にねじ込まれると、第２ポスト２１が停止部材５０に当接するので、停止部材５０は、最終的な端部位置となる。停止部材５０は、ねじ山９、１２に過度の応力を加えることになりかねない過度の締付に対し追加的弾性も提供する。
【００６５】
図１２に示しているように、第１及び第２ポスト２０、２１は、第２ポスト２１が丸みを帯びた突起２６を含んでいるように示されている。理解頂けるように、丸みを帯びた突起２６は省略することができ、第２ポスト２１は、図６に関連して述べた形を有していてもよい。更に、ポスト１９の輪は、ポスト１９の間に、停止部材５０を受け入れる間隙５１を有している。ねじ山９、１２は、タイミング調整されており、ポスト１９は、スタッド２とレセプタクル１の相互係合の最終段階で停止部材５０が間隙５１内に入り込むような軸方向高さを有している。従って、第１ポスト２０は、その上面２７が傾斜しているため、この相互係合の最終段階で、停止部材５０を接触せずに通過することができる。その後、更に回転させると、停止部材５０が間隙５１内に引き込まれ、第２ポスト２１に当接して、スタッド２のレセプタクル１との完全係合が画定される。
【００６６】
図１３と図１４は、スタッド２の代替実施形態を示しており、ポスト１９の輪は、別体の輪状部材６０に取り付けられている。輪状部材６０は、軸方向に貫通する６つの孔６２を有する基部６１を備えている。孔６２は、輪状基部６１の回りに等間隔に配置されており、輪６０をスタッド１の残りの部分に固定する役目を果たすのに用いられる。基部６１は、更に、ポストを形成する直立突起６３を有している。突起６３は、基部６１から軸方向に突き出ていてＶ字型をしており、Ｖ字型のポストは、輪６０の中心を「指している」。輪６０の外縁部６４は、Ｖ字型ポスト６３が周縁を形成しているＶ字型の切り込みを有している。輪の中心の穴６５は、輪状部材６０をレセプタクル１に取り付けるときに、スピゴット８が貫通するようになっている。輪状部材６０は、その目的の用途に適していれば、金属でもプラスチックでもよい。
【００６７】
スタッド２の円形のフランジ１７も、輪状部材６０を受け入れるため修正されている。円形のフランジ１７は、輪状部材６０に対応する輪郭と、基部６１の厚さに実質的に一致する深さと、を有する凹部６６有している。凹部は、更に、そこから突き出ていて、リング６０をレセプタクルに取り付けるときに孔６２を貫通する、取り付けラグ６７を有している。ラグ６７の、孔６２との相互係合によって、各部品が一体に保持される。
【００６８】
図１５と図１６のスタッド２は、図１３と図１４に示したのと実質的に同様であり、従って、同様の機構に同じ参照番号を当ている。しかしながら、図１５と図１６では、ポスト６３は、先に述べたのと同様に、第１ポスト６８と第２ポスト６９を備えているように示されている。第１ポスト６８は、軸方向高さに傾斜が付いており、従って、傾斜の付いた上面７０を有している。従って、第１ポスト６８は、スタッド２のレセプタクル１への挿入方向に対して、前縁部７１と後縁部７２を有しており、後縁部７２は、前縁部７１より軸方向高さが低い。
【００６９】
第１ポスト６８は、上面７０に傾斜が付いているので、相互係合の最終段階で、鉤形の部材３２に接触せずに通過することができる。この様に、前縁部７１と後縁部７２の間の軸方向高さの差は、スピゴット８がソケット４と係合してその中にねじ込まれることによって作り出される、ポスト６３と鉤形の部材３２の間の軸方向の離隔距離の変化と一致する。
【００７０】
ポスト６３を、スタッドに取り付けられる別体の部材の上に示してきたが、別体の部材を、レセプタクル１の円形上部プレート３の上に受け入れられるようにしてもよいものと理解されたい。
【００７１】
本発明の様々な態様は、単なる例示として、以下の添付図面に示されている。
【図面の簡単な説明】
【００７２】
【図１】レセプタクルの第１の実施形態の平面図である。
【図２】図１のレセプタクルの断面斜視図である。
【図３】スタッドの第１の実施形態の斜視図である。
【図４】図３のスタッドと図１のレセプタクルが一体に係合したときの断面を示している。
【図５】レセプタクル上の二次ロック部材の修正例を示している。
【図６】図５の修正済みレセプタクルがスタッドと係合したときの断面を示している。
【図７】レセプタクル上の二次ロック部材の第２修正例を示している。
【図８】図７の修正済みレセプタクルがスタッドと係合したときの断面を示している。
【図９】レセプタクル上の二次ロック部材の第３修正例を示している。
【図１０】図９の修正済みレセプタクルがスタッドと係合したときの断面を示している。
【図１１】レセプタクル上の二次ロック部材の第４修正例を示している。
【図１２】図１１の修正済みレセプタクルがスタッドと係合したときの断面を示している。
【図１３】スタッド上のポストの輪が別体の構成要素に取り付けられている修正例の分解図を示している。
【図１４】図１３の修正例の組み立て図を示している。
【図１５】図１３と図１４に示したポストの輪の、更なる修正例の分解図を示している。
【図１６】図１５の修正例の組み立て図を示している。
【符号の説明】
【００７３】
１                レセプタクル
２                スタッド
７                ソケット
８                スピゴット
１４              一次ロック手段
１５              歯
１９、２０、２１  ポスト
３２              二次ロック部材、鉤形の部材
３７              止め
３９              半径方向に伸張する部分
４０              円周方向に伸張する部分
【図１】
2007160113.tif 000003
【図２】
2007160113.tif 000004
【図３】
2007160113.tif 000005
【図４】
2007160113.tif 000006
【図５】
2007160113.tif 000007
【図６】
2007160113.tif 000008
【図７】
2007160113.tif 000009
【図８】
2007160113.tif 000010
【図９】
2007160113.tif 000011
【図１０】
2007160113.tif 000012
【図１１】
2007160113.tif 000013
【図１２】
2007160113.tif 000014
【図１３】
2007160113.tif 000015
【図１４】
2007160113.tif 000016
【図１５】
2007160113.tif 000017
【図１６】
2007160113.tif 000018
【外国語明細書】
2007160113000001.pdf